【手続補正書】
【提出日】平成19年6月15日(2007.6.15)
【手続補正１】
【補正対象書類名】特許請求の範囲
【補正対象項目名】全文
【補正方法】変更
【補正の内容】
【特許請求の範囲】
【請求項１】
レースに関連するリーダーボードであって各エントリーが個々のプレイヤーと関連する複数のエントリーを含むリーダーボードを表示するステップであって、少なくとも一つのエントリーが個々のプレイヤーに関連する一つの記録済みレースを含んでいる添付データを含み且つ少なくとも一つの他のエントリーが個々のプレイヤーがプレイした一つのレースからの抜粋を含み、少なくとも一つの抜粋が一人の関連するプレーヤーがプレイを完遂した一つのレースの全体よりも少ない部分を有しているステップ、
ゲームプログラムに関連する一つの記録済みレースをオンラインゲームサービスからリーダーボードの選択に応答してダウンロードするステップであって、ユーザが複数の記録済みレースから選択することができるステップ、
前記ゲームプログラムをゲームコンソール上で起動するステップ、
前記一つの記録済みレースを前記ゲームコンソール上で実行されている前記ゲームプログラムに適用するステップであって、該記録済みレースにより第１の車両がコースを走行するのを制御するステップ、及び、
前記ゲームコンソールに結合された入力デバイスから制御入力を受け取るステップであって、該制御入力により第２の車両が前記コースを走行するのを制御するステップ
を含むことを特徴とする方法。
【請求項２】
前記ダウンロードするステップに先立ってオンラインゲームサービスから利用可能な複数の記録済みレースを認識するステップをさらに含むことを特徴とする請求項１に記載の方法。
【請求項３】
前記ゲームプログラムは車のレーシングゲームであることを特徴とする請求項１に記載の方法。
【請求項４】
前記記録済みレースはレース全体の一部であることを特徴とする請求項１に記載の方法。
【請求項５】
前記記録済みレースは前記リーダーボード上のレーティングに関連していることを特徴とする請求項１に記載の方法。
【請求項６】
前記第１の車両と前記第２の車両を同時に表示するステップをさらに含むことを特徴とする請求項１に記載の方法。
【請求項７】
前記起動するステップは、前記記録済みレースにおける設定に基づいて前記ゲームプログラムを設定することを含むことを特徴とする請求項１に記載の方法。
【請求項８】
プロセッサにより実行可能であって請求項１に記載の方法を実行するコンピュータプログラムを含むことを特徴とする１つまたは複数のコンピュータ可読メモリ。
【請求項９】
レースに関連するリーダーボードであって各エントリーが個々のプレイヤーと関連する複数のエントリーを含むリーダーボードを表示するステップであって、少なくとも一つのエントリーが個々のプレイヤーに関連する一つの記録済みレースを含んでいる添付データを含み且つ少なくとも一つの他のエントリーが個々のプレイヤーがプレイした一つのレースからの抜粋を含み、少なくとも一つの抜粋が一人の関連するプレーヤーがプレイを完遂した一つのレースの全体よりも少ない部分を有しているステップ、
ゲームプログラムに関連する一つの記録済みレースをリーダーボードの選択に応答してオンラインゲームサービスからダウンロードするステップであって、ユーザが複数の記録済みレースから選択することができるステップ、
前記ゲームプログラムをゲームコンソール上で起動するステップ、
前記一つの記録済みレースを前記ゲームコンソール上で実行されている前記ゲームプログラムに適用するステップであって、該記録済みレースにより車両がコースを走行するのを制御するステップ、及び、
前記ゲームコンソールに結合された入力デバイスから制御入力を受け取るステップであって、該制御入力により前記車両が表示される視点を制御するステップ
を含むことを特徴とする方法。
【請求項１０】
前記視点は前記車両の内部からであることを特徴とする請求項９に記載の方法。
【請求項１１】
前記視点は前記車両の外部からであることを特徴とする請求項９に記載の方法。
【請求項１２】
前記記録済みレースは前記リーダーボード上のレーティングに関連していることを特徴とする請求項９に記載の方法。
【請求項１３】
前記起動するステップは、前記記録済みレースに格納された設定に基づいて前記ゲームプログラムを設定することを含むことを特徴とする請求項９に記載の方法。
【請求項１４】
オンラインゲームサービスから利用可能な複数の記録済みゲームを認識するステップであって、少なくとも一つの記録済みゲームが一人の関連するプレーヤーがプレイを完遂したレースの全時間よりも短いステップ、
前記前記複数の記録済みゲームのうち一つの記録済みゲームをオンラインゲームサービスからダウンロードするステップであって、該一つの記録済みゲームがゲームプログラムに関連しているステップ、
前記ゲームプログラムをゲームコンソール上で起動するステップ、
前記ゲームプログラムを前記一つの記録済みゲームにおける設定に基づいて設定するステップ、
前記一つの記録済みゲームを前記ゲームプログラムに適用するステップであって、前記ゲームプログラムにより該記録済みゲームから制御入力を受け取るステップ、及び、
該ステップの結果を表示するステップ
を含むことを特徴とする方法。
【請求項１５】
前記ゲームコンソールに結合された入力デバイスから制御入力を受け取るステップをさらに含むことを特徴とする請求項１４に記載の方法。
【請求項１６】
前記ゲームコンソールに結合された入力デバイスから制御入力を受け取るステップであって、該制御入力により前記ゲームにおける特定のオブジェクトを制御するステップをさらに含むことを特徴とする請求項１４に記載の方法。
【請求項１７】
前記ゲームコンソールに結合された入力デバイスから制御入力を受け取るステップであって、該制御入力により前記ゲームにおけるキャラクタを制御するステップをさらに含むことを特徴とする請求項１４に記載の方法。
【請求項１８】
前記ゲームコンソールに結合された入力デバイスから制御入力を受け取るステップであって、該制御入力によりゲームアクションが表示される表示視点を制御するステップをさらに含むことを特徴とする請求項１４に記載の方法。
【請求項１９】
プロセッサにより実行可能であって請求項１４に記載の方法を実行するコンピュータプログラムを含むことを特徴とする１つまたは複数のコンピュータ可読メモリ。
【請求項２０】
リーダーボードデータをゲームコンソールにおいて受信するステップであって、前記リーダーボードデータが複数のリーダーボードエントリに関連する保存済みゲームデータを含み且つオンラインゲームサービスから受信され、該リーダーボードエントリの少なくとも一つに関連するゲームデータが一つのゲームからの抜粋を含み、該抜粋が一人のプレーヤーがプレイを完遂したゲームの全体よりも少ないステップ、
前記リーダーボードデータを前記ゲームコンソールのユーザに対し表示するステップ、
前記リーダーボードデータから特定の保存済みゲームを選択するステップ、
前記特定の保存済みゲームを前記オンラインゲームサービスからダウンロードするステップであって、該保存済みゲームがゲームプログラムに関連しているステップ、
前記ゲームプログラムを前記ゲームコンソール上で起動するステップ、及び、
前記特定の保存済みゲームを前記ゲームコンソール上で実行される前記ゲームプログラムに適用するステップであって、該ゲームプログラムにより前記特定の保存済みゲームからの入力を受け取るステップ
を含むことを特徴とする方法。
【請求項２１】
前記特定の保存済みゲームからの前記入力は制御入力であることを特徴とする請求項２０に記載の方法。
【請求項２２】
前記起動するステップは、前記特定の保存済みゲームにおける設定を使用して前記ゲームプログラムを設定することを含むことを特徴とする請求項２０に記載の方法。
【請求項２３】
公衆ネットワークを介してオンラインゲームサービスと通信するように構成されたインターフェース、及び、
前記インターフェースに結合されたプロセッサであって、前記オンラインゲームサービスから一つの記録済みレースをダウンロードし及び該記録済みレースに関連するゲームプログラムを起動するように構成され、さらに実行中の該ゲームプログラムに前記記録済みレースを適用するように構成されたプロセッサを備え、
前記記録済みレースにより第１の車両がコースを走行するのを制御し、前記プロセッサに結合された入力デバイスにより第２の車両が前記コースを走行するのを制御し、さらに、前記記録済みレースが前記オンラインゲームサービスにより維持されていてユーザに対し表示されるリーダーボード上のレーティングに関連し、該リーダーボードが各エントリーが一人のプレイヤーと関連する複数のエントリーを含み、該エントリーの少なくとも一つは一人のプレイヤーがプレイを完遂したレースの全体よりも少ない記録を含む
ことを特徴とする装置。
【請求項２４】
前記第１の車両と前記第２の車両を同時に表示することを特徴とする請求項２３に記載の装置。
【請求項２５】
１つまたは複数のプロセッサによって実行されるコンピュータプログラムを格納した１つまたは複数のコンピュータ可読媒体であって、該プログラムが実行されると該プロセッサに、
オンラインゲームサービスから利用可能な複数の記録済みゲームであって、少なくとも一つの記録済みゲームが一人のプレーヤーがプレイを完遂したゲームの全体よりも少ない複数の記録済みゲームを認識させ、
前記複数の記録済みゲームのうちゲームプログラムに関連する一つの記録済みゲームを前記オンラインゲームサービスからダウンロードさせ、
前記ゲームプログラムをゲームコンソール上で起動させ、
前記ゲームプログラムを前記一つの記録済みゲームにおける設定に基づいて設定させ、
前記ゲームプログラムが前記一つの記録済みゲームから入力を受け取るように前記記録済みゲームを前記ゲームプログラムに適用させ、及び、
該適用した結果を表示させることを特徴とする１つまたは複数のコンピュータ可読媒体。
【請求項２６】
前記ゲームプログラムはカーレーシングゲームであることを特徴とする請求項２５に記載の１つまたは複数のコンピュータ可読媒体。
【請求項２７】
前記ゲームコンソールに結合された入力デバイスから制御入力を受け取ることをさらに含むことを特徴とする請求項２５に記載の１つまたは複数のコンピュータ可読媒体。